(57)【要約】【課題】  縦型掃除機特有の折り畳み式又は伸縮式のハンドルに着目して、電源コードや走行性に悪影響を及ぼさないフィルタ除塵機能を備えた縦型掃除機を提供する。【解決手段】  電動送風機１０と集塵室（ダストボックス１１）の間にフィルタ１３，１４が装着された掃除機本体１と、この掃除機本体１の上方に伸びる折り畳み式（又は伸縮式）のハンドル３を備えると共に、ハンドル３の折り畳み伸張（又は伸縮）に連動してフィルタ１３，１４の除塵を行うフィルタ除塵機構６を備えた。【選択図】        図３
2006333925.tif 000002
【特許請求の範囲】
【請求項１】
電動送風機と集塵室の間にフィルタが装着された掃除機本体と、この掃除機本体の上方に伸びる折り畳み式又は伸縮式のハンドルを備えると共に、
前記ハンドルの折り畳み伸張又は伸縮に連動して前記フィルタの除塵を行うフィルタ除塵機構を備えたことを特徴とする縦型掃除機。
【請求項２】
前記フィルタ除塵機構は、ワイヤーを介して前記ハンドルと連結されて連動することを特徴とする請求項１記載の縦型掃除機。
【請求項３】
前記フィルタ除塵機構は、突起を有して前記ハンドルに連動して回転する回転体と、前記フィルタ側から前記回転体の突起の回転軌跡内に突設された突出部を有することを特徴とする請求項１又は請求項２記載の縦型掃除機。
【請求項４】
前記集塵室は、サイクロン方式により吸気中から塵埃を分離するものであることを特徴とする請求項１ないし請求項３のいずれかに記載の縦型掃除機。
【発明の詳細な説明】
【技術分野】
【０００１】
本願発明は、フィルタ除塵機能を備えた電気掃除機、特に折り畳み式や伸縮式のハンドルを備えた縦型（アップライト型）掃除機に適用して好適なフィルタ除塵機能に関するものである。
【背景技術】
【０００２】
フィルタ除塵機能を備えた電気掃除機として、床移動型（キャニスター型）では、電源コードを巻き取るコードリールの回転を利用してフィルタを振動させて除塵するものが良く知られており（例えば、特許文献１参照）、その他にも車輪に連動してフィルタに摺接するブラシ体を備えたものもある（例えば、特許文献２参照）。
【特許文献１】実開昭５９−１１１６６２号公報
【特許文献２】特開２００３−３８３９８号公報
【発明の開示】
【発明が解決しようとする課題】
【０００３】
しかしながら、上述したような従来のフィルタ除塵機構では、以下のような課題が生じる。
【０００４】
すなわち、電源コードを巻き取るコードリールの回転を利用したものでは、電源コードを引き出す際の負荷が大きくなって、電源コードに断線等が生じる虞がある。
【０００５】
また、車輪に連動させたものでは、車輪の負荷が大きくなって走行性が低下する虞がある。
【０００６】
ところで、縦型掃除機では、掃除機本体の上方に伸びるハンドルが折り畳み式や伸縮式のものが多く、このハンドルを利用してフィルタ除塵機能を実現できれば上述したような課題は解決されるものと思われる。
【０００７】
そこで、本願発明はこのような課題を解決するためになされたものであり、縦型掃除機特有の折り畳み式又は伸縮式のハンドルに着目して、電源コードや走行性に悪影響を及ぼさないフィルタ除塵機能を備えた縦型掃除機を提供することを目的とするものである。
【課題を解決するための手段】
【０００８】
上記のような目的を達成するために、本願発明は、電動送風機と集塵室の間にフィルタが装着された掃除機本体と、この掃除機本体の上方に伸びる折り畳み式又は伸縮式のハンドルを備えると共に、前記ハンドルの折り畳み伸張又は伸縮に連動して前記フィルタの除塵を行うフィルタ除塵機構を備えたことを特徴とするものである。
【０００９】
さらに、前記フィルタ除塵機構は、ワイヤーを介して前記ハンドルと連結されて連動することを特徴とするものである。
【００１０】
また、前記フィルタ除塵機構は、突起を有して前記ハンドルに連動して回転する回転体と、前記フィルタ側から前記回転体の突起の回転軌跡内に突設された突出部を有することを特徴とするものである。
【００１１】
また、前記集塵室は、サイクロン方式により吸気中から塵埃を分離するものであることを特徴とするものである。
【発明の効果】
【００１２】
本願発明によれば、ハンドルの折り畳み伸張又は伸縮に連動してフィルタの除塵を行うフィルタ除塵機構を備えたことにより、掃除の終了時や開始時に行われるハンドルの折り畳み伸張又は伸縮に連動して自動的にフィルタの除塵が行われるので、従来のように電源コードや走行性に悪影響を及ぼすことなく、フィルタの除塵を容易に行うことができる。
【００１３】
さらに、フィルタ除塵機構は、ワイヤーを介してハンドルと連結されて連動するものであるから、ハンドルとの距離が離れていても、比較的簡単な構成で容易に連動させることができる。
【００１４】
また、フィルタ除塵機構は、突起を有してハンドルに連動して回転する回転体と、フィルタ側から回転体の突起の回転軌跡内に突設された突出部を有するものであるから、フィルタを振動させてフィルタに付着した塵埃を振り落とすことにより確実に除塵できる。
【００１５】
また、集塵室がサイクロン方式により吸気中から塵埃を分離するものの場合、サイクロン方式は遠心分離のみによるので、紙パック等の濾過方式に比べてフィルタには塵埃が付着しやすいため、上述したように電源コードや走行性に悪影響を及ぼすこともないフィルタ除塵機構を備えることは特に有効である。
【発明を実施するための最良の形態】
【００１６】
以下、本願発明の実施形態を図面を参照して詳細に説明する。
【００１７】
図１は、本願発明が適用される縦型掃除機の一実施形態を示す側面図、図２はその正面図、図３は側断面図、図４はその要部拡大図である。
【００１８】
本実施形態の縦型掃除機は、縦長の掃除機本体１と、この掃除機本体１の下方に回動自在に設けられた床用吸込具２と、掃除機本体１の上方に伸び上端側にグリップ部３０が形成された折り畳み式のハンドル３を備えている。
【００１９】
掃除機本体１内には、図３に示すように、下部側に電動送風機１０が配置され、その上方の前側にサイクロン方式のダストボックス（集塵室）１１が着脱可能に装着されている。ダストボックス１１の後側上部には、上記電動送風機１０の電源コードを巻き取るコードリール１２が配置され、その下側には上記ダストボックス１１から電動送風機１０への吸気流路に介在させて、プリーツ状フィルタ１３とメッシュ状フィルタ１４が装着されている。
【００２０】
また、図２に示すように、掃除機本体１の向かって左側の側面には、前記サイクロン方式のダストボックス１１内に連通するホース４が取り付けられている。このホース４は掃除機本体１の上部に形成された手持ち用把手１５と上記ハンドル３との間を介して反対側（向かって右側）に廻され、下部側に形成されて床用吸込具２に連通するホース差込口５に着脱可能に装着されている。
【００２１】
床用吸込具２には、図３に示すように前部下面に吸込口２０が形成され、この吸込口２０に臨ませて回転ブラシ２１が内蔵されている。また、床用吸込具２の回動軸近傍には車輪２２が設けられている。
【００２２】
また、掃除機本体１の上方に伸びるハンドル３は、掃除機本体１の後方上部に設けられた回動部３１を介して、図１，図３に破線で示す如く後側に倒して折り畳むことができるようになっており、折り畳んでコンパクトにして、収納や手持ち用把手１５を用いた持ち運びができるようになっている。
【００２３】
そして、本実施形態においては、図３に示すように、上記折り畳み式ハンドル３と共に回動する回動部３１に形成されたリール部６０にワイヤー６１の一端が取り付けられており、ハンドル３の折り畳み動作に連動してワイヤー６１の一端側がリール部６０に巻かれるように構成されている。
【００２４】
上記ワイヤー６１の他端側は、上記回動部３１の下方に設けられた案内輪６２を介して掃除機本体１内に入り、図４に示すようにフィルタ１３，１４の上部近傍に設けられた回転体６３の図示しないリール部に取り付けられて巻かれている。この回転体６３の外周には複数の突起６４が形成されている。この回転体６３はスプリング等によりワイヤー６１を巻き取る方向に付勢されており、前記ハンドル３が図３の実線で示すように上方に伸びた状態では、破線で示す折り畳み状態まで引き出されるのに十分な巻数だけは巻き取られている。
【００２５】
一方、プリーツ状フィルタ１３側には、その枠体上部から上記回転体６３の突起６４の回転軌跡内に突出する突出部６５が形成されている。上記リール部６０〜突出部６５により本願発明によるフィルタ除塵機構６が構成されている。従って、ハンドル３の折り畳み動作に連動してワイヤー６１が引っ張られ、回転体６３が回転すると、回転体６３の突起６４はプリーツ状フィルタ１３側に形成された突出部６５を叩くので、当該フィルタ１３が振動してフィルタ１３に付着した塵埃が振るい落とされ、ダストボックス１１の底部に落下する。また、上記突出部６５を、メッシュ状フィルタ１４の装着部にも接触するように構成することにより、メッシュ状フィルタ１４も振動するので、メッシュ状フィルタ１４の除塵も行えるようになる。
【００２６】
なお、ハンドル３が折り畳まれた状態（収納状態）からハンドル３を伸張して使用する場合にも、ワイヤー６１が緩むと、回転体６３がスプリング等の付勢力でワイヤー６１を巻き取る方向に逆回転するので、このときにも回転体６３の突起６４によりプリーツ状フィルタ１３側の突出部６５が叩かれるので、上記と同様な除塵効果が得られる。
【００２７】
以上の構成において、この縦型掃除機を使用する場合は、収納状態で折り畳まれているハンドル３を起こして伸張し、その先端のグリップ３０を持って後に倒して掃除機本体１を斜めにし、床用吸込具２を床に沿わせた状態にする。そして、グリップ３０近傍に設けられた手元操作部を操作することによって使用者の好みの運転モードで掃除することができる。
【００２８】
床用吸込具２から塵埃と共に吸引された吸気は、ホース差込口５からホース４を介してサイクロン方式のダストボックス１１内に入り、ここで塵埃を含んだ吸気が旋回することにより、塵埃は遠心分離されてダストボックス１１底部に溜まる。
【００２９】
ダストボックス１１からの吸気はプリーツ状フィルタ１３とメッシュ状フィルタ１４を介して電動送風機１０に吸い込まれ、そのモータ駆動部を冷却した後に、下部前面に形成された排気口１６から排出される。
【００３０】
上記ダストボックス１１から電動送風機１０への吸気が通るフィルタ１３には塵埃が付着しやすい。特にサイクロン方式の場合は遠心分離のみによるので、紙パック等の濾過方式に比べてフィルタ１３には塵埃が付着しやすい。
【００３１】
この対策として本実施形態では前述したようなフィルタ除塵機構６を備えたものであり、上述した掃除を終えて当該縦型掃除機を収納する際、図１，図３に破線で示すようにハンドル３が折り畳まれる。これにより、前述したように折り畳み式ハンドル３の回動部３１に設けられたリール部６０に一端が固定されたワイヤー６１が巻かれて引っ張られる。ワイヤー６１の他端には突起６４を有する回転体６３が連結されており、ワイヤー６１が引っ張られると回転する。
【００３２】
この回転体６３の突起６４の回転軌跡内には、プリーツ状フィルタ１３側に形成された突出部６５が突出しており、回転体６３が回転すると、その突起６４がプリーツ状フィルタ１３側の突出部６５を叩き、これにより、当該フィルタ１３が振動して、フィルタ１３に付着した塵埃が振るい落とされ、ダストボックス１１の底部に落下する。また、メッシュ状フィルタ１４も振動して、メッシュ状フィルタ１４に付着した塵埃も除塵される。
【００３３】
また、収納状態から折り畳まれたハンドル３を伸張して使用する場合にも、ワイヤー６１が緩むと、回転体６３がスプリング等の付勢力でワイヤー６１を巻き取る方向に逆回転するので、このときにも回転体６３の突起６４によりフィルタ１３側の突出部６５が叩かれるので、上記と同様な除塵効果が得られる。
【００３４】
以上のように、本実施形態では、縦型掃除機の折り畳み式ハンドル３に着目してこれを有効利用し、掃除の終了時や開始時に行われるハンドル３の折り畳み伸張に連動して自動的にフィルタ１３，１４の除塵が行われるようにしたので、従来のように電源コードや走行性に悪影響を及ぼすことなく、フィルタ１３，１４の除塵を容易に行うことができる。
【００３５】
さらに、本実施形態のフィルタ除塵機構６は、ワイヤー６１を介してハンドル３の回動部３１に形成されたリール部６０と連結されて連動するものであるから、ハンドル３との距離が離れていても、比較的簡単な構成で容易に連動させることができる。
【００３６】
また、本実施形態のフィルタ除塵機構６は、外周に突起６４を有して上述したようにしてハンドル３に連動して回転する回転体６３と、フィルタ１３，１４側から回転体６３の突起６４の回転軌跡内に突設された突出部６５とを有するものであるから、フィルタ１３，１４を振動させてフィルタ１３，１４に付着した塵埃を振り落とすことにより確実に除塵できる。
【００３７】
また、本実施形態のようにダストボックス（集塵室）１１がサイクロン方式により吸気中から塵埃を分離するものの場合、サイクロン方式は遠心分離のみによるので、紙パック等の濾過方式に比べてフィルタ１３には塵埃が付着しやすいため、上述したように電源コードや走行性に悪影響を及ぼすこともないフィルタ除塵機構６を備えることは特に有効である。
【００３８】
なお、上記実施形態では、本願発明を折り畳み式ハンドル３を備えた縦型掃除機に適用した場合について説明したが、ハンドルの支柱部が伸縮可能なものや、更にはハンドルの支柱部が伸縮可能で且つ筒状の支柱部を本体から外してその吸込口で掃除できるようにしたものにも適用可能である。この場合、単に伸縮可能なものはワイヤーで連結することができるが、筒状の支柱部を本体から外して掃除できるようにしたものでは、例えば伸縮する支柱部に摺接して回転するローラを設け、このローラにワイヤーを巻き取るリール部を形成すれば実現可能である。
【００３９】
ところで、上記のようにハンドルの筒状支柱部を本体から外して掃除できるようにしたものでは、従来、ハンドル筒状部に連結されるホースジョイント部のホース取り付け方向がハンドル筒状部に対してほぼ直角方向に取り付けられている。
【００４０】
このため、その用途である高い場所や低い場所の掃除を行う場合、ホース根元が大きく屈曲して操作性が悪化する。また、ハンドル支柱部を縮めた収納時にも弛んだホースが横方向に膨れるため収納性も悪化する。
【００４１】
図５〜図７は、上述した課題を解消した実施形態の構成と作用を示す図である。なお、前記実施形態と同一又は相当部分には同一符号を用いている。
【００４２】
本実施形態の縦型掃除機は、図５に示すようにハンドル３ａの筒状支柱部３２が掃除機本体１に伸縮可能で且つ着脱可能に装着されており、筒状支柱部３２の先端に開口する吸込口３３はそのまま使用することもできるし、隙間用アタッチメントなどを接続することもできる。また、筒状支柱部３２に連通するハンドル筒状部３４には、集塵室１１に連通するホース４の先端が接続されている。
【００４３】
そして、本実施形態においては、ハンドル筒状部３４と接続するホース４のジョイント部４１を略Ｌ字形状とし、このジョイント部４１は、図６に示すように、筒状支柱部３２に連通するハンドル筒状部３４（筒状支柱部３２の延長部）にパッキン４２や抜け止め部材４３を介して３６０゜回動自在に接続されている。
【００４４】
以上のように構成することにより、図７に示すように高い場所を掃除する際や低い場所の隙間などを掃除する際には、ホース４が３６０゜回動自在な略Ｌ字形状のジョイント部４１を介してハンドル３ａのグリップ部３０下側に沿うようになるので、ホース４の大きな屈曲を防ぐことが可能となり、操作性が向上する。また、ハンドル３ａの筒状支柱部３２を縮めた収納時には図５に示した状態と同様にホース４がハンドル筒状部３４に沿うようになるので、横方向に膨れることもなくなり収納性も向上する。
【００４５】
ところで、この種の縦型掃除機においては、ハンドル３ａの筒状支柱部３２を掃除機本体１が外した状態で移動する時などは、本体１が倒れる危険があり、本体１が倒れないようにするためには、腰を屈めて本体１の手持ち用把手１５を持つ必要があった。
【００４６】
図８〜図１０は、上述した課題を解消した実施形態の構成と作用を示す図である。なお、前述してきた実施形態と同一又は相当部分には同一符号を用いている。
【００４７】
本実施形態の縦型掃除機は、ハンドル３ａの筒状支柱部３２が、ハンドル３ａに連結された内側支柱部３２ａと、この内側支柱部３２ａが着脱可能に装着されると共に掃除機本体１の装着部１７に伸縮可能で着脱不可に装着される外側支柱部３２ｂとから構成されている。
【００４８】
上記外側支柱部３２ｂの上部側後半分には切欠部３５が形成されて、ハンドル３ａの内側支柱部３２ａが装着しやすくなると共に、ホースジョイント部４１が外側支柱部３２ｂに当たらないように構成されている。
【００４９】
また、掃除機本体１の上部には、突部１８ａが装着部１７内に突出するようにスプリング１８ｂによって付勢されたクランプ１８が取り付けられている。一方、外側支柱部３２ｂの筒状部３２ｃの上下には上記クランプ１８の突部１８ａが貫通する孔３２ｄ，３２ｄが形成され、内側支柱部３２ａには上記外側支柱部３２ｂの孔３２ｄ，３２ｄに対応して上記クランプ１８の突部１８ａが係合する凹部３２ｅ，３２ｅが形成されている。
【００５０】
以上の構成において、縦型掃除機としての通常の掃除使用時には、クランプ１８の係合を解除してハンドル３ａの外側支柱部３２ｂを持って図８に示すように外側支柱部３２ｂと共に内側支柱部３２ａを伸ばしてから、クランプ１８の突部１８ａを外側支柱部３２ｂの下側の孔３２ｄと内側支柱部３２ａの下側の凹部３２ｅに係合することにより、ハンドル３ａは図８に示す伸ばした状態に固定されるので、縦型掃除機としての掃除性能は従来の性能を確保できる。
【００５１】
また、収納時には、上記図８の状態からクランプ１８の係合を解除してハンドル３ａを持って図９に示すように内側支柱部３２ａと共に外側支柱部３２ｂを縮めてから、クランプ１８の突部１８ａを外側支柱部３２ｂの上側の孔３２ｄと内側支柱部３２ａの上側の凹部３２ｅに係合することにより、ハンドル３ａは図９に示す縮んだ状態に固定されるので、縦型掃除機としての収納性は従来の性能を確保できる。
【００５２】
そして、本実施形態のものでは、ハンドル３ａを伸ばした図８に示した状態で縦型掃除機としての掃除中などに、クランプ１８を少しだけ解除して図１０に示すようにハンドル３ａの内側支柱部３２ａを本体１側の外側支柱部３２ｂから取り外すことにより、ハンドル３ａの内側支柱部３２ａ先端の吸込口３３を用いた掃除を前記実施形態と同様に行うことができる。
【００５３】
このときには、図１０に示すように掃除機本体１からは上方に外側支柱部３２ｂが伸びた状態にあるので、使用者は立った姿勢のままで外側支柱部３２ｂの上部を他方の手で持って本体１を保持することができ、本体１が倒れる危険を防止できると共に、腰を屈めることなく掃除できるので操作性が向上する。
【図面の簡単な説明】
【００５４】
【図１】本願発明が適用される縦型掃除機の一実施形態を示す側面図。
【図２】その正面図。
【図３】その側断面図。
【図４】図３の要部拡大図。
【図５】他の実施形態の構成及び作用を示す図で、（ａ）はハンドルを伸張した状態を示す側面図、（ｂ）はハンドルの筒状支柱部を掃除機本体から取り外した状態を示す側面図。
【図６】そのホースジョイント部の構成及び作用を示す図で、（ａ）はホースジョイント部が下向きに回動した状態を示す側断面図、（ｂ）はホースジョイント部が上向きに回動した状態を示す側断面図。
【図７】ハンドルの筒状支柱部を掃除機本体から取り外して行う高所掃除時の状態を示す側面図。
【図８】更に他の実施形態のハンドルを伸張した状態を示す側断面図。
【図９】同じくハンドルを縮めた状態を示す側断面図。
【図１０】同じくハンドルを伸張してハンドルの内側支柱部を外側支柱部から取り外した状態を示す側断面図。
【符号の説明】
【００５５】
１  掃除機本体
１０  電動送風機
１１  ダストボックス（集塵室）
１２  コードリール
１３  プリーツ状フィルタ
１４  メッシュ状フィルタ
１５  手持ち用把手
１６  排気口
１７  装着部
１８  クランプ
１８ａ  突部
１８ｂ  スプリング
２  床用吸込具
２０  吸込口
２１  回転ブラシ
２２  車輪
３，３ａ  ハンドル
３０  グリップ部
３１  回動部
３２  筒状支柱部
３２ａ  内側支柱部
３２ｂ  外側支柱部
３２ｃ  筒状部
３２ｄ  孔
３２ｅ  凹部
３３  吸込口
３４  ハンドル筒状部
３５  切欠部
４  ホース
４１  ホースジョイント部
４２  パッキン
４３  抜け止め部材
５  ホース差込口
６  フィルタ除塵機構
６０  リール部
６１  ワイヤー
６２  案内輪
６３  回転体
６４  突起
６５  突出部
【図１】
2006333925.tif 000003
【図２】
2006333925.tif 000004
【図３】
2006333925.tif 000005
【図４】
2006333925.tif 000006
【図５】
2006333925.tif 000007
【図６】
2006333925.tif 000008
【図７】
2006333925.tif 000009
【図８】
2006333925.tif 000010
【図９】
2006333925.tif 000011
【図１０】
2006333925.tif 000012